(57)【要約】【課題】表紙に弾力性と厚みがあって重厚な質感と高級感のある証書バインダを提供する。【解決手段】クッション層３が、２枚の長方形の厚紙２の上に配置されている。クッション層３は、各厚紙２の大きさ以下である。２枚の型板４が、各厚紙２と同一寸法を有し、クッション層３を挟んで各厚紙２の上にそれぞれ配置されている。化粧紙５が、並列に間隙をあけて配置された２枚の厚紙２の外面を覆って、各型板４の内側縁部４ａに折り返して貼り付けられている。連結紙６が、その間隙を挟んで２枚の型板４を開閉可能に連結している。２枚の見返し７ａ，７ｂが、各型板４の内面４ｂで、各型板４と化粧紙５と連結紙６とにそれぞれ貼り付けられている。ホルダ部８が、証書を取付け可能に、一方の見返し７ａに取り付けられている。【選択図】図１
0003110246.tif 000002
【実用新案登録請求の範囲】
【請求項１】
２枚の長方形の厚紙と、
各厚紙の上に配置された各厚紙の大きさ以下のクッション層と、
各厚紙と同一寸法を有し前記クッション層を挟んで各厚紙の上にそれぞれ配置された２枚の型板と、
並列に間隙をあけて配置された２枚の前記厚紙の外面を覆って各型板の内側縁部に折り返して貼り付けられた化粧紙と、
前記間隙を挟んで２枚の前記型板を開閉可能に連結した連結紙と、
各型板の内面で各型板と前記化粧紙と前記連結紙とにそれぞれ貼り付けられた２枚の見返しと、
証書を取付け可能に２枚の前記見返しの一方に取り付けられたホルダ部とを、
有することを特徴とする証書バインダ。
【考案の詳細な説明】
【技術分野】
【０００１】
本考案は、卒業証書などの証書を収納するための証書バインダに関する。
【背景技術】
【０００２】
一般的に、卒業証書などの証書を収納するものとして、証書を筒状に丸めて収納する筒状の証書入れがある（例えば、特許文献１参照）。しかし、筒状の証書入れは、証書に丸くなる癖がついたり、折り目などの傷が付いたりしやすいという問題があった。そこで、この問題を解決するため、証書を丸めたり折ったりすることなく、そのままの状態で保管することができる見開き型の卒業証書保管具がある（例えば、特許文献２参照）。
【０００３】
【特許文献１】実用新案登録第２５２８８８３号公報
【特許文献２】登録実用新案第３０６６７１４号公報
【考案の開示】
【考案が解決しようとする課題】
【０００４】
しかしながら、特許文献２記載の見開き型卒業証書保管具は、表紙が硬い平板状のため、質感が薄く、高級感に欠けるという課題があった。
【０００５】
本考案は、このような従来の課題に着目してなされたもので、表紙に弾力性と厚みがあって重厚な質感と高級感のある証書バインダを提供することを目的とする。
【課題を解決するための手段】
【０００６】
上記目的を達成するために、本考案に係る証書バインダは、２枚の長方形の厚紙と、各厚紙の上に配置された各厚紙の大きさ以下のクッション層と、各厚紙と同一寸法を有し前記クッション層を挟んで各厚紙の上にそれぞれ配置された２枚の型板と、並列に間隙をあけて配置された２枚の前記厚紙の外面を覆って各型板の内側縁部に折り返して貼り付けられた化粧紙と、前記間隙を挟んで２枚の前記型板を開閉可能に連結した連結紙と、各型板の内面で各型板と前記化粧紙と前記連結紙とにそれぞれ貼り付けられた２枚の見返しと、証書を取付け可能に２枚の前記見返しの一方に取り付けられたホルダ部とを、有することを特徴とする。
【０００７】
本考案に係る証書バインダは、２枚の見返しの一方に取り付けられたホルダ部に、証書を取り付けて使用される。このとき、証書を丸めたり折ったりすることなく、そのままの状態でホルダ部に取り付けることができ、証書を傷つけにくい。また、各型板を閉じて本棚などに収納することができるため、保管しやすい。
【０００８】
各型板と各厚紙との間にクッション層を挟んでいるため、表紙に弾力性と厚みがあって重厚な質感と高級感を備えることができる。製造するとき、機械により表紙をプレスしてクッション層を押しつぶしても、プレス後にクッション層はもとの状態に戻るため、弾力性を損なわない。このため、製造工程の機械化が可能であり、作業時間の短縮と製造コストの低減を図ることができる。
【考案の効果】
【０００９】
本考案によれば、表紙に弾力性と厚みがあって重厚な質感と高級感のある証書バインダを提供することができる。
【考案を実施するための最良の形態】
【００１０】
以下、図面に基づき本考案の実施の形態について説明する。
図１乃至図３は、本考案の実施の形態の証書バインダを示している。
図１乃至図３に示すように、証書バインダ１は、２枚の厚紙２と２つのクッション層３と２枚の型板４と化粧紙５と連結紙６と２枚の見返し７ａ，７ｂとホルダ部８とを有している。
【００１１】
図３（ａ）に示すように、各厚紙２は、長方形で、硬い材質の紙から成る。
各クッション層３は、弾力性を有し、やや厚みのある長方形の板状に形成されている。各クッション層３は、大きさが各厚紙２の大きさ以下に形成されている。クッション層３は、各厚紙２からはみ出さないよう、各厚紙２の上で各厚紙２の中央に配置され、各厚紙２に貼り付けられている。
【００１２】
各型板４は、各厚紙２と同一寸法の長方形で、硬い材質の紙から成る。各型板４は、容易に折れないよう、各厚紙２より厚く形成されている。各型板４は、各クッション層３を挟んで各厚紙２の上にそれぞれ配置されている。各型板４は、各厚紙２と位置を揃えて、各クッション層３にそれぞれ貼り付けられている。
【００１３】
図３（ａ）に示すように、化粧紙５は、並列に間隙をあけて配置された２枚の厚紙２の外面を覆い、各厚紙２の外面に貼り付けられている。図３（ｂ）に示すように、化粧紙５は、周縁部５ａが各厚紙２の周囲からはみ出すよう配置され、そのはみ出した周縁部５ａが、各型板４の内側縁部４ａに折り返して貼り付けられている。図１に示すように、化粧紙５は、表面５ｂに「卒業証書」の文字９が箔押しされている。
【００１４】
図３（ｂ）に示すように、連結紙６は、化粧紙５と同じ紙から成っている。連結紙６は、各型板４の内面４ｂで、各型板４の間に露出した化粧紙５の裏面５ｃを覆うよう配置されている。連結紙６は、その化粧紙５の裏面５ｃと、各型板４の間で折り返された化粧紙５の周縁部５ａと、隣り合う各型板４の内側縁部４ａとにそれぞれ貼り付けられている。これにより、連結紙６は、各型板４の間にあいた間隙を挟んで、２枚の型板４を開閉可能に連結している。
【００１５】
図２に示すように、各見返し７ａ，７ｂは、手触りの良い単色の上質紙から成る。各見返し７ａ，７ｂは、長方形で、各型板４よりやや小さく、化粧紙５の周縁部５ａと連結紙６とに囲まれた各型板４の内面４ｂの露出部より大きく形成されている。各見返し７ａ，７ｂは、各型板４の内面４ｂで各型板４の中央に配置され、各型板４と化粧紙５の周縁部５ａと連結紙６の各側縁部６ａとにそれぞれ貼り付けられている。
【００１６】
図２に示すように、ホルダ部８は、一方の見返し７ａに取り付けられている。ホルダ部８は、見返し７ａの四隅に三角形状で設けられ、見返し７ａとの間に証書の四隅を挟んで証書を取付け可能になっている。なお、具体的な一例では、ホルダ部８は、Ａ４版の大きさの証書を取付け可能である。
【００１７】
次に、作用について説明する。
証書バインダ１は、一方の見返し７ａに取り付けられたホルダ部８に、証書を取り付けて使用される。このとき、証書を丸めたり折ったりすることなく、そのままの状態でホルダ部８に取り付けることができ、証書を傷つけにくい。また、各型板４を閉じて本棚などに収納することができるため、保管しやすい。
【００１８】
図１に示すように、各型板４と各厚紙２との間にクッション層３を挟んでいるため、表紙に弾力性と厚みがあって重厚な質感と高級感を備えることができる。製造するとき、機械により表紙をプレスしてクッション層３を押しつぶしても、プレス後にクッション層３はもとの状態に戻るため、弾力性を損なわない。このため、製造工程の機械化が可能であり、作業時間の短縮と製造コストの低減を図ることができる。
【００１９】
また、証書バインダ１は、各見返し７ａ，７ｂが、各型板４と化粧紙５と連結紙６とにそれぞれ貼り付けられているため、各型板４から化粧紙５および連結紙６が剥がれにくく、丈夫である。各見返し７ａ，７ｂが各型板４、化粧紙５および連結紙６の結合部を覆い隠すため、見栄えもよい。取り付ける証書の種類や好みに応じて、化粧紙５の材質や模様を様々に変えることができる。
【図面の簡単な説明】
【００２０】
【図１】本考案の実施の形態の証書バインダを示す（ａ）正面図、（ｂ）右側面図、（ｃ）底面図である。
【図２】図１に示す証書バインダの表紙を開いた状態を示す斜視図である。
【図３】図１に示す証書バインダの（ａ）分解斜視図、（ｂ）組立途中の正面図である。
【符号の説明】
【００２１】
１    証書バインダ
２    厚紙
３    クッション層
４    型板
５    化粧紙
６    連結紙
７ａ，７ｂ  見返し
８    ホルダ部
９    タイトル
【図１】
0003110246.tif 000003
【図２】
0003110246.tif 000004
【図３】
0003110246.tif 000005